(57)【要約】【課題】  画像ファイルに対して画像の内容を反映した画像の内容を把握しやすいファイル名を自動で付与できるようにすることである。【解決手段】  画像の一定領域（プリセット領域）を対象に文字認識を行なって（ステップＳ３）、その文字認識で得られた文字又は文字列のサイズや色を判断して、所定のサイズや色の文字を画像ファイルのファイル名とする（ステップＳ７）。【選択図】    図５
2005056315.tif 000002
【特許請求の範囲】
【請求項１】
対象となる画像データの画像で文字認識を行なう文字認識手段と、
この文字又は文字列を前記画像データのファイルのファイル名として設定するファイル名設定手段と、
を備えている情報処理装置。
【請求項２】
前記ファイル名設定手段は、前記文字認識で得られた前記文字列中に含まれているあらかじめ設定された所定の文字又は文字列の後に続く文字又は文字列を前記ファイル名として設定する、
請求項１に記載の情報処理装置。
【請求項３】
前記文字認識で得られた前記各文字の前記画像中でのサイズを判定するサイズ判定手段をさらに備え、
前記ファイル名設定手段は、前記文字認識で得られた前記文字列中に含まれている文字又は文字列のうち前記判定によるサイズが相対的に大きいものを前記ファイル名として設定する、
請求項１に記載の情報処理装置。
【請求項４】
前記文字認識で得られた前記各文字の前記画像中での色を判定する色判定手段をさらに備え、
前記ファイル名設定手段は、前記文字認識で得られた前記文字列中に含まれている文字又は文字列のうち前記判定による色が所定の色であるものを前記ファイル名として設定する、
請求項１に記載の情報処理装置。
【請求項５】
前記文字認識手段は、前記画像の所定エリアで前記文字認識を行なう、請求項３又は４に記載の情報処理装置。
【請求項６】
対象となる画像データの画像で文字認識を行なう文字認識手段と、
この文字又は文字列を前記画像データのファイルのファイル名として設定するファイル名設定手段と、
をコンピュータに実行させるコンピュータに読み取り可能なプログラム。
【請求項７】
前記ファイル名設定手段は、前記文字認識で得られた前記文字列中に含まれているあらかじめ設定された所定の文字又は文字列の後に続く文字又は文字列を前記ファイル名として設定する、
請求項６に記載のプログラム。
【請求項８】
前記文字認識で得られた前記各文字の前記画像中でのサイズを判定するサイズ判定手段をさらにコンピュータに実行させ、
前記ファイル名設定手段は、前記文字認識で得られた前記文字列中に含まれている文字又は文字列のうち前記判定によるサイズが相対的に大きいものを前記ファイル名として設定する、
請求項６に記載のプログラム。
【請求項９】
前記文字認識で得られた前記各文字の前記画像中での色を判定する色判定手段をさらにコンピュータに実行させ、
前記ファイル名設定手段は、前記文字認識で得られた前記文字列中に含まれている文字又は文字列のうち前記判定による色が所定の色であるものを前記ファイル名として設定する、
請求項６に記載のプログラム。
【請求項１０】
請求項６〜９のいずれかの一に記載のプログラムを記憶している、記憶媒体。
【発明の詳細な説明】
【技術分野】
【０００１】
本発明は、画像ファイルの文書名を自動的に付与する情報処理装置、プログラム及び記憶媒体に関する。
【背景技術】
【０００２】
特許文献１には、スキャナで原稿の画像情報を読み取り、網制御装置及びモデムにより画像データを送信及び受信し、システム制御部が送信装置からの画像データを網制御装置及びモデムに受信させるように構成されたファクシミリ装置等の通信装置において、送信装置から画像データを受信したとき、システム制御部が通信制御手順又は独自プロトコル手順に従い伝送される識別情報に基づいてその画像データからなる受信文書のファイル名を設定するように構成された技術が開示されている。
【０００３】
【特許文献１】特開２００３−１７９７３５公報
【発明の開示】
【発明が解決しようとする課題】
【０００４】
電子写真方式の複写機や、さらに、ネットワーク機能を備えているいわゆる複合機においては、スキャナで読み取った画像データやファクシミリとして受信した画像データを画像メモリに蓄積し、必要なときに画像メモリから画像データを呼び出して印刷等に利用する機能を備えた機種が知られている。
【０００５】
この場合に、画像メモリに蓄積されている画像ファイルのファイル名は、例えば、画像をスキャン等した年月日、時刻及び所定の拡張子から構成される。
【０００６】
しかしながら、年月日、時刻などで構成されるファイル名では、その画像ファイルを開いて画像の内容を見てみないと何の画像であるのかをユーザは知ることができず、目的の画像を探して印刷等を行なうためには不便であるという不具合がある。
【０００７】
本発明の目的は、画像ファイルに対して画像の内容を反映した画像の内容を把握しやすいファイル名を自動で付与できるようにすることである。
【課題を解決するための手段】
【０００８】
請求項１に記載の発明は、対象となる画像データの画像で文字認識を行なう文字認識手段と、この文字又は文字列を前記画像データのファイルのファイル名として設定するファイル名設定手段と、を備えている情報処理装置である。
【０００９】
請求項２に記載の発明は、請求項１に記載の情報処理装置において、前記ファイル名設定手段は、前記文字認識で得られた前記文字列中に含まれているあらかじめ設定された所定の文字又は文字列の後に続く文字又は文字列を前記ファイル名として設定する。
【００１０】
請求項３に記載の発明は、請求項１に記載の情報処理装置において、前記文字認識で得られた前記各文字の前記画像中でのサイズを判定するサイズ判定手段をさらに備え、前記ファイル名設定手段は、前記文字認識で得られた前記文字列中に含まれている文字又は文字列のうち前記判定によるサイズが相対的に大きいものを前記ファイル名として設定する。
【００１１】
請求項４に記載の発明は、請求項１に記載の情報処理装置において、前記文字認識で得られた前記各文字の前記画像中での色を判定する色判定手段をさらに備え、前記ファイル名設定手段は、前記文字認識で得られた前記文字列中に含まれている文字又は文字列のうち前記判定による色が所定の色であるものを前記ファイル名として設定する。
【００１２】
請求項５に記載の発明は、請求項３又は４に記載の情報処理装置において、前記文字認識手段は、前記画像の所定エリアで前記文字認識を行なう。
【００１３】
請求項６に記載の発明は、対象となる画像データの画像で文字認識を行なう文字認識手段と、この文字又は文字列を前記画像データのファイルのファイル名として設定するファイル名設定手段と、をコンピュータに実行させるコンピュータに読み取り可能なプログラムである。
【００１４】
請求項７に記載の発明は、請求項６に記載のプログラムにおいて、前記ファイル名設定手段は、前記文字認識で得られた前記文字列中に含まれているあらかじめ設定された所定の文字又は文字列の後に続く文字又は文字列を前記ファイル名として設定する。
【００１５】
請求項８に記載の発明は、請求項６に記載のプログラムにおいて、前記文字認識で得られた前記各文字の前記画像中でのサイズを判定するサイズ判定手段をさらにコンピュータに実行させ、前記ファイル名設定手段は、前記文字認識で得られた前記文字列中に含まれている文字又は文字列のうち前記判定によるサイズが相対的に大きいものを前記ファイル名として設定する。
【００１６】
請求項９に記載の発明は、請求項６に記載のプログラムにおいて、前記文字認識で得られた前記各文字の前記画像中での色を判定する色判定手段をさらにコンピュータに実行させ、前記ファイル名設定手段は、前記文字認識で得られた前記文字列中に含まれている文字又は文字列のうち前記判定による色が所定の色であるものを前記ファイル名として設定する。
【００１７】
請求項１０に記載の発明は、請求項６〜９のいずれかの一に記載のプログラムを記憶している、記憶媒体である。
【発明の効果】
【００１８】
請求項１，６に記載の発明は、対象となる画像中に含まれる文字からファイル名を作成するので、画像の内容を反映した画像の内容を把握しやすいファイル名を自動で付与することができる。
【００１９】
請求項２，７に記載の発明は、請求項１，６に記載の発明において、所定の文字又は文字列（「題名」「タイトル」等の文字又は文字列）の後に続く文字又は文字列は、その画像の内容を端的に表す「題名」などを表示した文字又は文字列である場合が多いので、画像の内容を的確に反映した画像の内容を把握しやすいファイル名を自動で付与することができる。
【００２０】
請求項３，８に記載の発明は、請求項１，６に記載の発明において、所定の文字又は文字列（「題名」「タイトル」等を示すもの）は、他の文字列より大きな文字で記載される場合も多いので、画像の内容を的確に反映した画像の内容を把握しやすいファイル名を自動で付与することができる。
【００２１】
請求項４，９に記載の発明は、請求項１，６に記載の発明において、所定の文字又は文字列（「題名」「タイトル」等を示すもの）は、他の文字列と異なる色で記載される場合も多いので、画像の内容を的確に反映した画像の内容を把握しやすいファイル名を自動で付与することができる。
【００２２】
請求項５に記載の発明は、請求項３又は４に記載の発明において、文書のタイトル等が表示されやすいと思われるエリアのみで文字認識を行なうことにより、無駄な文字認識処理を省いて処理を高速化することができる。
【００２３】
請求項１０に記載の発明は、記憶しているプログラムにより請求項６〜９のいずれかの一に記載の発明と同様の作用、効果を奏することができる。
【発明を実施するための最良の形態】
【００２４】
本発明を実施するための最良の一形態について説明する。
【００２５】
本実施の形態は、情報処理装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるデジタルカラー複合機に適用した例を示す。
【００２６】
図１は、本実施の形態のデジタルカラー複合機１を含むシステム構成図である。図１に示すように、本実施の形態においては、デジタルカラー複合機１に通信ネットワークであるＬＡＮ（Local Area Network）２を介し、各種の情報処理を実行するサーバコンピュータ３や複数台のクライアントコンピュータ４が接続されたシステムを想定する。サーバコンピュータ３は、例えばＦＴＰ，ＨＴＴＰプロトコルをサポートしたり、ＷｅｂサーバやＤＮＳ（ドメインネームサーバ）の機能を実現するものである。すなわち、このシステムにおいては、デジタルカラー複合機１が備えている画像入力機能（スキャナ機能）、画像出力機能（プリント機能）及び画像蓄積機能等の画像処理機能を、ＬＡＮ２上でシェアし得る環境が構築されているものである。
【００２７】
このようなシステムは、通信制御ユニット５を介してインターネット網６に接続され、インターネット網６を介して外部環境とデータ通信可能に構築されている。通信制御ユニット５としては、ルータ、交換機、モデム、ＤＳＬモデム等が一般的であるが、最低限ＴＣＰ／ＩＰ通信が可能であればよい。また、ＬＡＮ２は有線通信に限るものではなく、無線通信（赤外線や電波等）であってもよい。また、光ファイバーを用いたものであってもよい。
【００２８】
次に、デジタルカラー複合機１について説明する。ここで、図２はデジタルカラー複合機１を概略的に示す外観斜視図、図３はデジタルカラー複合機１の各部の電気的接続を示すブロック図である。図２に示すように、デジタルカラー複合機１は、転写紙などの媒体に画像を形成する画像形成装置である印刷装置７の上部に、原稿から画像を読み取る画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、光ディスク、フレキシブルディスクなどの記憶媒体Ｍ（図３参照）に記憶されているプログラムコードや画像データ等を読み取る、又は、記憶媒体Ｍに対してプログラムコードや画像データ等を書き込む装置である外部メディア入出力装置９が、記憶媒体Ｍの挿入を許容する挿入口を外部に露出させて設けられている。
【００２９】
このようなデジタルカラー複合機１のストラクチャとしては、図３に示すように、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【００３０】
画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００３１】
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
【００３２】
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Charge Coupled Device））に集光して読み取り、Ａ／Ｄ変換してＲＧＢ各８bitのデジタル画像データを生成する。
【００３３】
このような画像処理制御ユニット１０は、メインプロセッサであるＣＰＵ（Central Processing Unit）１３と、画像読取装置８から読み込んだ画像データを印刷装置７による作像に供すべく一旦格納しておくＳＤＲＡＭ（Synchronous Dynamic Random Access Memory）などのＲＡＭ１４と、制御プログラム等を記憶したＲＯＭ（Read Only Memory）１５と、システムログ／システム設定／ログ情報等を記録しておく電源ＯＦＦ時にもデータの保持が可能なＮＶＲＡＭ１６と、をバス接続したマイクロコンピュータ構成とされている。
【００３４】
また、画像処理制御ユニット１０には、多量の画像データの蓄積やジョブ履歴等の記憶装置となるＨＤＤ（Hard Disk Drive）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリ装置と交信することができる。
【００３５】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。
【００３６】
したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００３７】
このような構成により、画像処理ユニット部Ａは、外部（サーバコンピュータ３、クライアントコンピュータ４、ファクシミリ装置等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
【００３８】
また、画像処理ユニット部Ａは、ＲＡＭ１４やＨＤＤ１７に記憶されている印刷データ、原稿読取りデータ、これらを出力用に処理した出力画像データ、及び、それらを圧縮した圧縮データを外部（サーバコンピュータ３、クライアントコンピュータ４、ファクシミリ等）に転送することができる。
【００３９】
さらに、画像処理ユニット部Ａは、画像読取装置８の読取り画像データを画像処理制御ユニット１０に転送し、光学系及びデジタル信号への量子化に伴う信号劣化を補正し、該画像データをＲＡＭ１４に書込む。このようにしてＲＡＭ１４に格納された画像データは、印刷制御ユニット１１で出力画像データに変換されて、印刷装置７に出力される。
【００４０】
次に、操作パネルＰを備える情報処理ユニット部Ｂについて説明する。情報処理ユニット部Ｂは、一般にパーソナルコンピュータといわれるような情報処理装置に用いられる汎用のＯＳ（Operating System）によって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Operating System）やアプリケーションプログラムを記憶するＨＤＤ等の記憶装置３４に対するデータの入出力を制御する記憶装置制御ユニット３５とが、バス接続されている。
【００４１】
また、ＣＰＵ３１には、情報処理ユニット部Ｂを、ＨＵＢ１９を介してＬＡＮ２に接続するための通信インターフェースであるＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部ＢとはそれぞれＬＡＮ２に接続されていることになり、画像処理ユニット部Ａと情報処理ユニット部Ｂとの間においてはデータ交換が可能な構成になっている。
【００４２】
なお、デジタルカラー複合機１はＨＵＢ１９を介してＬＡＮ２に接続されていることから、美観を損ねることはなく、結線等の取り扱いを容易にすることが可能になっている。
【００４３】
さらに、ＣＰＵ３１には、操作パネルＰを制御する表示制御ユニット３６及び操作入力制御ユニット３７が接続されている。ここで、図４は操作パネルＰの構成を示す平面図である。図４に示すように、操作パネルＰは、例えばＬＣＤ（Liquid Crystal Display）である表示装置４０と、操作入力装置４１とで構成されている。操作入力装置４１は、表示装置４０の表面に積層された超音波弾性波方式等のタッチパネル４１ａと、複数のキーを有するキーボード４１ｂとで構成されている。キーボード４１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
【００４４】
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。
【００４５】
上述したように記憶装置３４には、ＣＰＵ３１が実行するＯＳ（Operating System）やアプリケーションプログラムが格納されている。この意味で、記憶装置３４は、アプリケーションプログラムを記憶する記憶媒体として機能する。このデジタルカラー複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同種のＯＳ、すなわち汎用のＯＳ（例えば、Ｗｉｎｄｏｗｓ（登録商標）等）とされている。
【００４６】
なお、前述したように、本実施の形態のデジタルカラー複合機１には、ＯＳ、デバイスドライバや各種アプリケーションプログラム等の各種のプログラムコード（制御プログラム）や画像データ等を記憶した記憶媒体Ｍ、すなわち、フレキシブルディスク、ハードディスク、光ディスク（ＣＤ−ＲＯＭ，ＣＤ−Ｒ，ＣＤ−ＲＷ，ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷなど）、光磁気ディスク（ＭＯ）、半導体メディアなどの記憶媒体Ｍに記憶されているプログラムコードや画像データ等を読み取る、又は記憶媒体Ｍに対してプログラムコードや画像データ等を書き込む装置であるフレキシブルディスクドライブ装置、光ディスクドライブ装置、ＭＯドライブ装置、メディアドライブ装置等の外部メディア入出力装置９が搭載されている。このような外部メディア入出力装置９は、ＣＰＵ３１にバス接続されている入出力デバイス制御ユニット４２により制御される。
【００４７】
したがって、記憶装置３４に記憶されているアプリケーションプログラムは、この記憶媒体Ｍに記録されたアプリケーションプログラムがインストールされたものであってもよい。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされてもよい。
【００４８】
なお、入出力デバイス制御ユニット４２には、ＵＳＢ，ＩＥＥＥ１３９４，ＳＣＳＩ等の各種インターフェース４３も接続されており、各種インターフェース４３を介して様々な機器（デジタルカメラ等）が接続可能とされている。
【００４９】
このデジタルカラー複合機１では、画像読取装置８で原稿から読み取った画像データ、あるいは、ＦＡＸ制御ユニット２０を介して外部から受信したＦＡＸの画像データの画像ファイルを記憶装置３４に保存するのに際して、画像ファイルに自動でファイル名を付与することができる。かかる処理は、記憶媒体Ｍから読み取って、あるいは、インターネット６からダウンロードして、記憶装置３４にインストールした所定のアプリケーションプログラムに基づいて実行される。以下では、デジタルカラー複合機１で実行する当該処理の内容について説明する。
【００５０】
まず、画像読取装置８で原稿から読み取った画像データ、あるいは、ＦＡＸ制御ユニット２０を介して外部から受信したＦＡＸの画像データの画像ファイルは、画像処理ユニット部Ａで仮のファイル名が付与されて、情報処理ユニット部Ｂに送信される。
【００５１】
図５は、ＣＰＵ３１が実行する自動でファイル名を付与する処理のフローチャートである。図５に示すように、まず、ＣＰＵ３１は、ファイル名自動付与モードが設定されているか否かを判断する（ステップＳ１）。ファイル名自動付与モードは、画像ファイルに自動でファイル名を付与する処理を実行するモードであり、操作入力装置４１で所定の操作をあらかじめ実行することにより設定することができる。ファイル名自動付与モードが設定されていなかったときは（ステップＳ１のＮ）、画像処理ユニット部Ａで付与された仮のファイル名を画像ファイルのファイル名として確定する（ステップＳ２）。この場合のファイル名は、例えば、画像読取装置８による原稿の読み取り等を行なった年月日、時刻、さらに所定の拡張子などで構成される。
【００５２】
ファイル名自動付与モードが設定されていたときは（ステップＳ１のＹ）、以下のような処理を実行する。図６は、画像読取装置８による原稿の読み取り等を行なった画像ファイルの画像５１の一例を示すものであるが、まず、この画像５１のあらかじめ設定されている所定のｘｙ座標で指定されるエリア（プリセット領域）５２の画像について文字認識の処理を行なう（文字認識手段）（ステップＳ３）。プリセット領域５２のｘｙ座標についてはテキストファイル５５（図９）にあらかじめ記録されて保存されている。このｘｙ座標については、ユーザが所望に設定できるようにしてもよい。また、ここで用いる文字認識処理は、ＯＣＲ（Optical Character Reader）技術で一般的に使用されている周知の技術による。こうして、文字認識処理で文字や文字列が認識されたら、その文字や文字列を記録したテキストファイル５３（図７）を作成し、画像ファイルはＪＰＥＧ、ＪＰＥＧ２０００などの所定の画像圧縮アルゴリズムで圧縮符号化して画像ファイルとする。さらに、文字認識処理で認識された各文字について、テキストファイル５３における文字位置の座標情報、画像５１における文字サイズ又は色を判定して（サイズ判定手段、色判定手段）、その文字サイズ又は色の情報である文字サイズ情報又は色情報を記録したテキストファイル５４（図８）を作成する（ステップＳ４）。
【００５３】
そして、プリセット領域５２に文字が含まれておらず、テキストファイル５３、５４が作成されなかったときは（ステップＳ５のＮ）、画像処理ユニット部Ａで付与された仮のファイル名を画像ファイルのファイル名とする（ステップＳ６）。この場合のファイル名は、例えば、画像読取装置８による原稿の読み取り等を行なった年月日、時刻、さらに所定の拡張子などで構成される。
【００５４】
プリセット領域５２に文字が含まれていて、テキストファイル５３、５４が作成されたときは（ステップＳ５のＹ）、テキストファイル５３に含まれている文字又は文字列の中から、テキストファイル５４に記録されている文字サイズ情報又は色情報に基づいて一定の文字又は文字列を選択して、ファイル名とする（ファイル名設定手段）（ステップＳ７）。
【００５５】
具体的には、文字サイズ情報に基づく場合なら、相対的に大きなサイズの文字は文書のタイトルである場合など、その文書の内容を端的に示す文字又は文字列を構成する可能性が高いので、そのような相対的に大きなサイズの文字をファイル名として選択する。相対的に大きなサイズの文字としては、テキストファイル５３に含まれている文字又は文字列の中でもっとも大きな文字、あるいは、一定以上のサイズの文字を選択するようにすればよい。
【００５６】
また、色情報に基づく場合なら、例えば、黒文字の文書の中に赤文字、青文字の文字又は文字列が含まれるときは、その赤文字、青文字は文書のタイトルである場合など、その文書の内容を端的に示す文字又は文字列を構成する可能性が高いので、そのような特定の色の文字をファイル名として選択する。
【００５７】
このように、ステップＳ６，Ｓ７で、一応のファイル名が決まったら、そのファイル名を表示装置４０に表示して、そのファイル名に修正を行なうか否かをメッセージを表示してユーザに問い合わせる（ステップＳ８）。ユーザが表示装置４０に表示するソフトキーボードを操作してファイル名に修正を行なったときは（ステップＳ９のＹ）、その修正した内容をファイル名に反映し（ステップＳ１０）、ユーザが、これ以上の修正の必要がない旨をソフトキーボードを操作で意思表示したときは（ステップＳ１１のＹ）、その時点のファイル名で画像ファイルのファイル名を確定し、そのファイル名を画像ファイルに付与して画像ファイルを記憶装置３４に記憶する（ステップＳ１２）。
【００５８】
文書中において、「題名」「タイトル」等を示すような所定の文字又は文字列は、他の文字列より大きな文字で記載され、あるいは、異なった色で印刷される場合も多いので、このような処理を実行すれば、画像５１の内容を的確に反映した画像５１の内容を把握しやすいファイル名を自動で付与することができる。
【００５９】
次に、図５の処理とは別の例について、図１０を参照して説明する。
【００６０】
図１０に示すように、まず、ＣＰＵ３１は、この例でも、ファイル名自動付与モードが設定されているか否かを判断する（ステップＳ２１）。ファイル名自動付与モードが設定されていなかったときは（ステップＳ２１のＮ）、画像処理ユニット部Ａで付与された仮のファイル名を画像ファイルのファイル名として確定する（ステップＳ２２）。
【００６１】
ファイル名自動付与モードが設定されていたときは（ステップＳ２１のＹ）、以下のような処理を実行する。まず、この例では対象となる画像５１の全域について文字認識の処理を行なう（ステップＳ２３）。ここで用いる文字認識処理も、ＯＣＲ技術で一般的に使用されている周知の技術による。こうして、文字認識処理で文字や文字列が認識されたら、その文字や文字列中に予め設定されている所定の文字又は文字列が含まれていないか判断する（ステップＳ２４）。この所定の文字列としては、例えば、「題名」「タイトル」など、その後にその文書の内容を端的に示すような文字又は文字列が続いて表記されるであろう、文字又は文字列である。
【００６２】
このような文字又は文字列がなかったときは（ステップＳ２４のＮ）、画像処理ユニット部Ａで付与された仮のファイル名を画像ファイルのファイル名とする（ステップＳ２５）。
【００６３】
文字又は文字列があったときは（ステップＳ２４のＹ）、その文字又は文字列に続く文字又は文字列を画像ファイルのファイル名とする（ステップＳ２６）。また、画像５１は、周知の画像圧縮アルゴリズムで圧縮符号化して画像ファイルとする（ステップＳ２７）。
【００６４】
このように、ステップＳ２５，Ｓ２６で、一応のファイル名が決まったら、以後、ステップＳ２８〜Ｓ３２の処理を実行するが、かかる処理は前述のステップＳ８〜Ｓ１２と同様であるため、詳細な説明は省略する。
【００６５】
図１０の処理を行うことにより、「題名」「タイトル」等の文字又は文字列の後に続く文字又は文字列は、その文書の内容を端的に表す「題名」などを表示した文字又は文字列である場合が多いので、画像５１の内容を的確に反映した画像の内容を把握しやすいファイル名を自動で付与することができる。
【図面の簡単な説明】
【００６６】
【図１】本発明の実施の一形態のデジタルカラー複合機を含むシステム構成図である。
【図２】デジタルカラー複合機を概略的に示す外観斜視図である。
【図３】デジタルカラー複合機の各部の電気的接続を示すブロック図である。
【図４】操作パネルの構成を示す平面図である。
【図５】デジタルカラー複合機が実行するファイル名の自動付与の処理を説明するフローチャートである。
【図６】ファイル名の自動付与を行なう画像ファイルの画像の一例を示す平面図である。
【図７】画像から文字認識により得られた文字を記録したテキストファイルの説明図である。
【図８】文字認識により得られた文字の座標及びサイズ又は色を記録したテキストファイルの説明図である。
【図９】プリセット領域の座標を記録したテキストファイルの説明図である。
【図１０】デジタルカラー複合機が実行するファイル名の自動付与処理について別の例を説明するフローチャートである。
【符号の説明】
【００６７】
Ｂ    情報処理装置
Ｍ    記憶媒体
【図１】
2005056315.tif 000003
【図２】
2005056315.tif 000004
【図３】
2005056315.tif 000005
【図４】
2005056315.tif 000006
【図５】
2005056315.tif 000007
【図６】
2005056315.tif 000008
【図７】
2005056315.tif 000009
【図８】
2005056315.tif 000010
【図９】
2005056315.tif 000011
【図１０】
2005056315.tif 000012